(57)【要約】【課題】既設の端子台へ端子ねじにより簡単に取り付けることで、配電盤を加工しなくても、作業の際にワンアクションで端子の着脱を可能にする。【解決手段】導体３を形成し、他端に絶縁体から成る摘み部４を形成したプラグ１と、一端に端子ねじ５２に掛け止める掛止部９を形成し、他端にプラグ１の導体３が接する可動導体６を形成した第一と第二金属導通板７，８の両可動導体６を収納固定した端子台受具２とから成り、端子台受具２の第一と第二金属導通板７，８を２個の端子ねじ５２それぞれに接続し、プラグ１の挿し込み、引き抜きにより、その導体３を第一と第二金属導通板７，８とが導通、不導通になるように構成した。【選択図】図２
2008193763.tif 000002
【特許請求の範囲】
【請求項１】
配電盤（５１）に配線を接続する２個の端子ねじ（５２）間を導通、不導通にするトリップロック端子台であって、
前端側が細くなるように傾斜した挿入体の周囲に導体（３）を形成し、他端に絶縁体から成る摘み部（４）を形成したプラグ（１）と、
一端に前記端子ねじ（５２）に掛け止める掛止部（９）を形成し、他端に前記プラグ（１）の導体（３）が接する可動導体（６）を形成した第一金属導通板（７）と、
一端に前記端子ねじ（５２）に掛け止める掛止部（９）を形成し、他端に前記プラグ（１）の導体（３）が接する可動導体（６）を形成した第二金属導通板（８）と、
前記第一金属導通板（７）と第二金属導通板（８）の両可動導体（６）を収納固定した端子台受具（２）と、から成り、
前記端子台受具（２）の第一、第二金属導通板（７，８）を２個の端子ねじ（５２）それぞれに接続し、前記プラグ（１）を挿抜することにより、その導体（３）を前記第一金属導通板（７）と第二金属導通板（８）とが導通、不導通になるように構成した、ことを特徴とするトリップロック端子台。
【請求項２】
前記端子台受具（２）から前記プラグ（１）が離脱しないように、該プラグ（１）の絶縁部分に突出部（１３）から成る抜け止め構造（１４）を設けた、ことを特徴とする請求項１のトリップロック端子台。
【請求項３】
前記抜け止め構造（１４）は、
前記端子台受具（２）のプラグ挿込み部（５）に、固定用凹部（１５）を形成した絶縁板を弾性部材（１６）で支持し、該固定用凹部（１５）に前記プラグ（１）の絶縁体に形成した突出部（１３）を嵌脱自在に係合させるように構成したものである、ことを特徴とする請求項３のトリップロック端子台。
【請求項４】
前記抜け止め構造（１４）は、
前記プラグ（１）の絶縁体内に収納凹部（１７）を開け、該収納凹部（１７）内にコイルばね（１１）を突出部（１３）と共に内挿し、これを前記端子台受具（２）のプラグ挿込み部（５）に形成した固定用凹部（１５）に嵌脱自在に係合させるように構成したものである、ことを特徴とする請求項３のトリップロック端子台。
【請求項５】
前記端子台受具（２）に前記プラグ（１）を刺し込んだ状態で、これらを覆い固定するように、前記配電盤（５１）に吸着させる磁石（１８）を周縁に取り付けた防護カバー（１９）を更に備えた、ことを特徴とする請求項１のトリップロック端子台。
【請求項６】
前記端子台受具（２）のプラグ挿込み部（５）の周囲に電圧測定用導体（１２）を設けた、ことを特徴とする請求項１のトリップロック端子台。
【請求項７】
配電盤（５１）に配線を接続する２個の端子ねじ（５２）間を導通、不導通にするトリップロック端子台であって、
前端側が細くなるように傾斜した挿入体の周囲に導体（３）を形成し、他端に絶縁体から成る摘み部（４）を形成したプラグ（１）と、
一端に前記端子ねじ（５２）に掛け止める掛止部（９）を形成し、他端に前記プラグ（１）の導体（３）が接する可動導体（６）を形成した第一金属導通板（７）と、
一端に前記端子ねじ（５２）に掛け止める掛止部（９）を形成し、他端に前記プラグ（１）の導体（３）が接する可動導体（６）を形成した第二金属導通板（８）と、
前記第一金属導通板（７）と第二金属導通板（８）の両可動導体（６）を収納固定すると共に、既設の端子台も覆うように、筺体の一面に開口部（２１）を開け、他面に窓部（２２）を開けた端子台受具用キャップ（２３）と、から成り、
前記端子台受具用キャップ（２３）の第一、第二金属導通板（７，８）を２個の端子ねじ（５２）にそれぞれ接続し、前記プラグ（１）を挿抜することにより、その導体（３）を前記第一金属導通板（７）と第二金属導通板（８）とが導通、不導通になるように構成した、ことを特徴とするトリップロック端子台。
【発明の詳細な説明】
【技術分野】
【０００１】
本発明は、遮断器のトリップ回路に設け、常時は閉路となり、異常時又は定期点検時にこのトリップ回路を開路にするトリップロック端子台に関する。
【背景技術】
【０００２】
従来より、トリップロック端子台は、配電盤に設けて使用するものである。このトリップロック端子台は、遮断器を作動させるトリップ回路に設け、常時は閉路となっており、異常時又は定期点検時にトリップ回路を開路、即ちロックするものである。
【０００３】
例えば、作業等でトリップロックが必要な場合は、トリップロック端子台の端子を外すことにより電気的にロックして開閉器の誤動作を防止している。ロックの実施、解除を行う場合、従来のトリップロック端子台は、図１０に示すように、配電盤５１に設けた上側と下側の端子台の端子ねじ５２に、金属導通板５３の両端を切欠いて掛止部５４としたプラグ５５を掛け止めていた。このように端子ねじ５２を回して、プラグ５５の取り付けと、取り外しを行なっている。
【０００４】
このようなトリップロック端子台に関する技術としては、例えば特許文献１の特開２００２−３３４７４２の「トリップロック端子台」のように、絶縁支持体から金属導通板を突設したプラグと、絶縁ブロック体に配線を接続する２個の端子ネジを螺着する本体とよりなり、プラグを本体に挿入し金属導通板で両端子ネジを導通させ、プラグを本体から引き抜いて両端子ネジ間を不導通とさせるトリップロック端子台において、本体の絶縁ブロック体の導通板受入れ孔の周囲に全周にわたり突起を突出させ、プラグの絶縁支持体のプラグ面の中央部に凹部を形成したトリップロック端子台が提案されている。
【特許文献１】特開２００２−３３４７４２
【発明の開示】
【発明が解決しようとする課題】
【０００５】
しかし、プラグ５５の着脱は、上側と下側の端子台の端子ねじ５２を多数回まわして、緩めたり、締め付ける必要があり、手間と時間がかかるものであった。特に、ロック箇所が多数の場合は大きな労力を要するという問題を有していた。
【０００６】
また、特許文献１の「トリップロック端子台」による装置を用いてトリップロックを行う場合は、配電盤に加工を施す必要があるため、既設の端子台には利用できないという問題を有していた。
【０００７】
本発明は、かかる問題点を解決するために創案されたものである。すなわち、本発明の目的は、既設の端子台へ端子ねじにより簡単に取り付けることで、配電盤に加工しなくても、作業の際にワンアクションで端子の着脱が可能なトリップロック端子台を提供することにある。
【課題を解決するための手段】
【０００８】
本発明によれば、配電盤（５１）に配線を接続する２個の端子ねじ（５２）間を導通、不導通にするトリップロック端子台であって、前端側が細くなるように傾斜した挿入体の周囲に導体（３）を形成し、他端に絶縁体から成る摘み部（４）を形成したプラグ（１）と、一端に前記端子ねじ（５２）に掛け止める掛止部（９）を形成し、他端に前記プラグ（１）の導体（３）が接する可動導体（６）を形成した第一金属導通板（７）と、一端に前記端子ねじ（５２）に掛け止める掛止部（９）を形成し、他端に前記プラグ（１）の導体（３）が接する可動導体（６）を形成した第二金属導通板（８）と、前記第一金属導通板（７）と第二金属導通板（８）の両可動導体（６）を収納固定した端子台受具（２）と、から成り、前記端子台受具（２）の第一、第二金属導通板（７，８）を２個の端子ねじ（５２）それぞれに接続し、前記プラグ（１）を挿抜することにより、その導体（３）を前記第一金属導通板（７）と第二金属導通板（８）とが導通、不導通になるように構成した、ことを特徴とするトリップロック端子台が提供される。
【０００９】
前記端子台受具（２）から前記プラグ（１）が離脱しないように、該プラグ（１）の絶縁部分に突出部（１３）から成る抜け止め構造（１４）を設けることが好ましい。
例えば、前記抜け止め構造（１４）は、前記端子台受具（２）のプラグ挿込み部（５）に、固定用凹部（１５）を形成した絶縁板を弾性部材（１６）で支持し、該固定用凹部（１５）に前記プラグ（１）の絶縁体に形成した突出部（１３）を嵌脱自在に係合させるように構成したものである。
前記抜け止め構造（１４）は、前記プラグ（１）の絶縁体内に収納凹部（１７）を開け、該収納凹部（１７）内にコイルばね（１１）を突出部（１３）と共に内挿し、これを前記端子台受具（２）のプラグ挿込み部（５）に形成した固定用凹部（１５）に嵌脱自在に係合させるように構成したものである。
【００１０】
前記端子台受具（２）に前記プラグ（１）を刺し込んだ状態で、これらを覆い固定するように、前記配電盤（５１）に吸着させる磁石（１８）を周縁に取り付けた防護カバー（１９）を更に備えることができる。
前記端子台受具（２）のプラグ挿込み部（５）の周囲に電圧測定用導体（１２）を設けることができる。
【００１１】
また、本発明は、配電盤（５１）に配線を接続する２個の端子ねじ（５２）間を導通、不導通にするトリップロック端子台であって、前端側が細くなるように傾斜した挿入体の周囲に導体（３）を形成し、他端に絶縁体から成る摘み部（４）を形成したプラグ（１）と、一端に前記端子ねじ（５２）に掛け止める掛止部（９）を形成し、他端に前記プラグ（１）の導体（３）が接する可動導体（６）を形成した第一金属導通板（７）と、一端に前記端子ねじ（５２）に掛け止める掛止部（９）を形成し、他端に前記プラグ（１）の導体（３）が接する可動導体（６）を形成した第二金属導通板（８）と、前記第一金属導通板（７）と第二金属導通板（８）の両可動導体（６）を収納固定すると共に、既設の端子台も覆うように、筺体の一面に開口部（２１）を開け、他面に窓部（２２）を開けた端子台受具用キャップ（２３）と、から成り、前記端子台受具用キャップ（２３）の第一、第二金属導通板（７，８）を２個の端子ねじ（５２）にそれぞれ接続し、前記プラグ（１）を挿抜することにより、その導体（３）を前記第一金属導通板（７）と第二金属導通板（８）とが導通、不導通になるように構成構成することができる。
【発明の効果】
【００１２】
上記構成の発明では、端子台受具（２）の第一金属導通板（７）の掛止部（９）と、第二金属導通板（８）の掛止部（９）それぞれを既設の端子台の端子ねじ（５２）に掛け止め、この端子台受具（２）の第一と第二金属導通板（７，８）の可動導体（６）に、プラグ（１）をその導体（３）から挿し込むことにより、ワンアクションで端子の着脱ができる。不導通にするときは、このプラグ（１）を端子台受具（２）から抜き取る。このように、本発明では、既設の端子台が流用できるため，現在運転中の配電盤（５１）に加工を施す必要がない。
【００１３】
導通、不導通はプラグ（１）の挿抜により行なうので、作業前後時に実施する操作のうち、トリップロックに関する操作時間が短縮できる。そこで、作業箇所の早期復旧が可能となり、設備、電力系統信頼度向上および操作員の負担軽減を図ることができる。
【００１４】
端子台受具（２）からプラグ（１）が離脱しないように、プラグ（１）の絶縁部分に突出部（１３）から成る抜け止め構造（１４）を設けたので、配電盤（５１）が振動してもプラグ（１）が不用意に落下することを防止することができる。
端子台受具（２）とプラグ（１）を覆い固定する防護カバー（１９）は、埃が付着することを防止できる。この防護カバー（１９）は、その周縁に取り付けた磁石（１８）で容易に配電盤（５１）に吸着させ、取り外すことができる。
【発明を実施するための最良の形態】
【００１５】
本発明は、既設の端子台へ端子ねじにより簡単に取り付けることができ、配電盤を加工しなくても、作業の際にワンアクションで端子の着脱が可能なトリップロック端子台である。
【実施例１】
【００１６】
以下、本発明の好ましい実施の形態を図面を参照して説明する。
図１は実施例１のトリップロック端子台を示す斜視図である。図２は実施例１のトリップロック端子台を示すものであり、（ａ）はプラグの正面図、（ｂ）は端子台受具の正断面図、（ｃ）はプラグの平面図、（ｄ）は端子台受具の平断面図である。図３は実施例１のプラグを端子台受具に挿し込んだ状態の斜視図である。図４は実施例１のプラグを端子台受具に挿し込む状態の正面図である。図５は抜け止め構造の一例を示す拡大断面図である。
実施例１のトリップロック端子台は、プラグ１とこのプラグ１を挿し込む端子台受具２とから成る。端子台受具２の各導通板は、既設端子台の端子ねじ５２に予めねじ止めしておく。プラグ１は、導通、不導通させる導体３と絶縁体から成る摘み部４とで構成される。導体３は前端側が細くなるように傾斜した挿入体の周囲に導通板を形成したものである。この傾斜角度は、後述するプラグ挿込み部５内の可動導体６の傾斜角度に合わせる。摘み部４は絶縁体から成るものであれば、図示例のように略直方体形状に限定されず、略円柱状、略円錐形状等の様々な形状にすることができる。また、この摘み部４の表面は滑り止め機能を有する細かい凹凸面を形成することが望ましい。
【００１７】
端子台受具２は、図２に示すように、第一金属導通板７と第二金属導通板８の両可動導体６を収納固定したものである。第一金属導通板７は、一端に端子ねじ５２に掛け止める掛止部９を形成し、他端にプラグ１の導体３が接する可動導体６を形成したものである。同じく、第二金属導通板８も一端に端子ねじ５２に掛け止める掛止部９を形成し、他端にプラグ１の導体３が接する可動導体６を形成したものである。なお、第一金属導通板７と第二金属導通板８と表現したのは、説明の便宜上第一と第二に分けたものである。金属導通板自体に機能、素材上の相違があるものではない。
【００１８】
端子台受具２は、図１，２に示すように、略立方体形状からなり、その一面に略直方体形状の凹み（プラグ挿込み部５）を有する絶縁体である。この端子台受具２の外部に第一金属導通板７の掛止部９を突出するように固定し、この第一金属導通板７の可動導体６はプラグ挿込み部５内に配置した。この可動導体６は、金属導通板１０をその背面にコイルばね１１で押圧するように構成した。この金属導通板１０は、図２（ｂ）に示すように、プラグ１の導体３が挿入しやすく、かつこの導体３が接触しやすいような傾斜状に構成する。第二金属導通板８も第一金属導通板７と同様な構成にする。なお、第一金属導通板７と第二金属導通板８とは、既設の端子ねじ５２に締結し、かつプラグ１を用いて、導通、不導通させることができるのであれば、可動導体６、掛止部９の形状、構造は図示例のようなものに限定されない。
【００１９】
端子台受具２のプラグ挿込み部５の周囲に電圧測定用導体１２を設けることができる（図１、図３参照）。電圧測定用導体１２は、例えば、図８に示すように、端子台受具２の内部の第一金属導通板７、第二金属導通板８に接するように、この端子台受具２の一部に孔２８を開け、容易に電圧測定できるようにしたものである。
【００２０】
図３に示すように、この第一金属導通板７と第二金属導通板８は、既設の２個の端子ねじ５２にそれぞれねじ止め接続する。この状態の端子台受具２のプラグ挿込み部５内にプラグ１を挿し込み、又は引き抜くことにより、このプラグ１の導体３が第一金属導通板７の可動導体６と第二金属導通板８の可動導体６とに導通させる。そこで、このプラグ１を挿し込み、また引き抜くことにより、その導体３を第一金属導通板７と第二金属導通板８とに導通、不導通にすることができる。
【００２１】
本発明のトリップロック端子台には、図２（ｃ），（ｄ）に示すように、端子台受具２からプラグ１が離脱しないように、プラグ１の絶縁部分に突出部１３から成る抜け止め構造１４を設けている。例えば、抜け止め構造１４は、端子台受具２のプラグ挿込み部５に、固定用凹部１５を形成した絶縁板をばね等の弾性部材１６で支持し、固定用凹部１５にプラグ１の絶縁体に形成した突出部１３を嵌脱自在に係合させるように構成したものである。この抜け止め構造１４は、配電盤５１が振動しているときに、プラグ１が不用意に落下することを防止する機能を有する。
【００２２】
または、図５に示すように、プラグ１の絶縁体に収納凹部１７を開け、収納凹部１７内にコイルばね１１を突出部１３と共に内挿し、これを端子台受具２のプラグ挿込み部５に形成した固定用凹部１５に嵌脱自在に係合するように構成することができる。
【００２３】
図６は実施例１の端子台受具を端子ねじに締め付けた状態の正面図である。図７は防護カバーでプラグと端子台受具とを覆う状態の防護カバーの正断面図である。
端子台受具２にプラグ１を差し込んだ状態で、これらを覆い固定するように、配電盤５１に吸着させる磁石１８を周縁に取り付けた防護カバー１９を更に備えることができる。この防護カバー１９は、その周縁に取り付けた磁石１８で容易に配電盤５１に吸着させ、取り外すことができる。この防護カバー１９は、埃が付着することを防止することができる。この防護カバー１９は、その内部を観察できるように透明な素材が好ましい。
【００２４】
この実施例では、先ず、端子台受具２の第一金属導通板７の掛止部９と、第二金属導通板８の掛止部９それぞれを既設の端子台の端子ねじ５２に締結する。この端子台受具２の第一と第二金属導通板７，８の可動導体６に、プラグ１をその導体３から挿し込むにより、ワンアクションで端子の着脱ができる。不導通にするときは、このプラグ１を端子台受具２から抜き取る。このように、この実施例では、既設の端子台が流用できるため，現在運転中の配電盤５１に加工する必要がない。
【００２５】
導通、不導通はプラグ１の挿抜により行なうことができるので、作業前後時に実施する操作のうち、トリップロックに関する操作時間が短縮できる。そこで、作業箇所の早期復旧が可能となり、設備、電力系統信頼度向上及び操作員の負担軽減を図ることができる。
【実施例２】
【００２６】
図８は実施例２のトリップロック端子台を示すものであり、（ａ）はプラグの正面図、（ｂ）は端子台受具とキャップの正断面図である。図９は実施例２のトリップロック端子台を示す斜視図である。
実施例２のトリップロック端子台は、第一金属導通板７と第二金属導通板８の両可動導体６を収納固定すると共に、既設の端子台まで覆うように、筺体の一面に開口部２１を開け、他面に窓部２２を開けた端子台受具用キャップ２３とから成るものである。この実施例２のトリップロック端子台では、既設の端子台まで覆うように、端子台受具用キャップ２３を設けたので、既設の端子台に埃が付着しないようになっている。
【００２７】
実施例２のトリップロック端子台は、既設の端子台を覆う構造として第一金属導通板７と第二金属導通板８の形状が、実施例１の第一金属導通板７と第二金属導通板８の形状と異なる。それ以外のプラグ１の形状、抜け止め構造１４は実施例１と同じである。
【００２８】
端子台受具用キャップ２３には、第一金属導通板７を端子ねじ５２に締結しやすいように、ドライバ挿し込み孔２４を開けている。更に、第一金属導通板７の一部にもドライバ挿し込み孔２５を開けている。同様に第二金属導通板８側にも、ドライバ挿し込み孔２４，２５を開けている。そこで、実施例２の端子台受具用キャップ２３は、窓部２２側から、端子ねじ５２にワッシャ２６、ナット２７を締結することができる。
端子台受具用キャップ２３の窓部２２の周囲に電圧測定用導体１２用の孔２８を開けている。
【００２９】
実施例２のトリップロック端子台は、端子台受具用キャップ２３の第一、第二金属導通板７，８を２個の端子ねじ５２にそれぞれ締結し、プラグ１を挿抜することにより、その導体３を第一金属導通板７と第二金属導通板８とに導通、不導通させる。
【００３０】
なお、本発明は、既設の端子台へ端子ねじ５２により簡単に取り付けることで、配電盤５１に加工を施さなくても、作業の際にワンアクションで端子の着脱ができれば、上述した発明の実施の形態に限定されず、本発明の要旨を逸脱しない範囲で種々変更できることは勿論である。
【産業上の利用可能性】
【００３１】
本発明のトリップロック端子台は、トリップロック以外、例えば再閉路投入ロック、搬送信号ロック等の端子台として利用することができる。
【図面の簡単な説明】
【００３２】
【図１】実施例１のトリップロック端子台を示す斜視図である。
【図２】実施例１のトリップロック端子台を示すものであり、（ａ）はプラグの正面図、（ｂ）は端子台受具の正断面図、（ｃ）はプラグの平面図、（ｄ）は端子台受具の平断面図である。
【図３】実施例１のプラグを端子台受具に挿し込んだ状態の斜視図である。
【図４】実施例１のプラグを端子台受具に挿し込む状態の正面図である。
【図５】抜け止め構造の一例を示す拡大断面図である。
【図６】実施例１の端子台受具を端子ねじに締め付けた状態の正面図である。
【図７】防護カバーでプラグと端子台受具とを覆う状態の防護カバーの正断面図である。
【図８】実施例２のトリップロック端子台を示すものであり、（ａ）はプラグの正面図、（ｂ）は端子台受具とキャップの正断面図である。
【図９】実施例２のトリップロック端子台を示す斜視図である。
【図１０】従来のトリップロック端子台を示す斜視図である。
【符号の説明】
【００３３】
１  プラグ
２  端子台受具
３  導体
４  摘み部
５  プラグ挿込み部
６  可動導体
７  第一金属導通板
８  第二金属導通板
９  掛止部
１０  金属導通板
１２  電圧測定用導体
１３  突出部
１４  抜け止め構造
１５  固定用凹部
１７  収納凹部
１８  磁石
１９  防護カバー
２１  開口部
２２  窓部
２３  端子台受具用キャップ
５１  配電盤
５２  端子ねじ
【図１】
2008193763.tif 000003
【図２】
2008193763.tif 000004
【図３】
2008193763.tif 000005
【図４】
2008193763.tif 000006
【図５】
2008193763.tif 000007
【図６】
2008193763.tif 000008
【図７】
2008193763.tif 000009
【図８】
2008193763.tif 000010
【図９】
2008193763.tif 000011
【図１０】
2008193763.tif 000012